(57)【特許請求の範囲】
【請求項１】
被写体を照明する照明光を伝達するためのライトガイドの入射端部を操作部に配置すると共に、上記ライトガイドに照明光を供給するための光源ランプを内蔵した照明光供給ユニットを上記操作部に取り付けた簡易型内視鏡装置において、
上記照明光供給ユニットに上記光源ランプとその電源となる電池とが直列に真っ直ぐに同一軸線上に配置されて、上記照明光供給ユニットが、上記操作部に取り付けられた状態では上記操作部から側方に真っ直ぐに突出した状態になるように構成されると共に、上記電池の一方の電極と上記光源ランプとを接続するための導電部材が上記光源ランプと上記電池との間の軸線位置付近に配置されて、その周囲の部分に、上記光源ランプを点灯及び消灯させるためのスイッチング機構が配置され、
上記スイッチング機構は、上記光源ランプの一方の電極に導通する導電盤と、常態において上記導電盤に接触する導電板バネとを有していて、上記スイッチング機構の操作手段によって回動されるピンにより上記導電板バネが弾性変形させられて上記導電盤から離れることにより、上記光源ランプが消灯状態になることを特徴とする簡易型内視鏡装置。
【請求項２】
上記スイッチング機構の操作手段が、上記照明光供給ユニットの中心軸線を中心とする環状に形成されている請求項１記載の簡易型内視鏡装置。
【請求項３】
上記スイッチング機構の操作手段が、上記照明光供給ユニットの中心軸線回りに回転操作される請求項１又は２記載の簡易型内視鏡装置。
【発明の詳細な説明】
【０００１】
【発明の属する技術分野】
この発明は、ライトガイドに照明光を供給するための照明光供給ユニットが操作部に取り付けられた簡易型内視鏡装置に関する。
【０００２】
【従来の技術】
操作部に照明用の発光体を設けたいわゆる簡易型の内視鏡装置においては、光源ランプとその電源となる乾電池等を内蔵した照明光供給ユニットが内視鏡の操作部に取り付けられている。そして、光源ランプを点灯及び消灯させるためのスイッチング機構が、照明光供給ユニットの突端部に設けられている。
【０００３】
【発明が解決しようとする課題】
しかし、スイッチング機構を照明光供給ユニットの突端部に設けると、操作部から突出する照明光供給ユニットの長さが長くなり、照明光供給ユニットの重心が操作部から遠くなってしまうので、操作部を握って保持した状態の重量バランスが悪くなって、操作性を損なっていた。
【０００４】
そこで本発明は、照明光供給ユニットが操作部に取り付けられた状態の重量バランスが良くて、操作性のよい簡易型内視鏡装置を提供することを目的とする。
【０００５】
【課題を解決するための手段】
上記の目的を達成するため、本発明の簡易型内視鏡装置は、被写体を照明する照明光を伝達するためのライトガイドの入射端部を操作部に配置すると共に、上記ライトガイドに照明光を供給するための光源ランプを内蔵した照明光供給ユニットを上記操作部に取り付けた簡易型内視鏡装置において、上記光源ランプを点灯及び消灯させるためのスイッチング機構を、上記照明光供給ユニットの中間部分に設けたことをことを特徴とする。
【０００６】
なお、上記スイッチング機構の操作手段が、上記照明光供給ユニットの中心軸線を中心とする環状に形成されていてもよく、上記スイッチング機構の操作手段が、上記照明光供給ユニットの中心軸線回りに回転操作されてもよい。
【０００７】
そして、上記スイッチング機構が、外部から内部に水が侵入しないように水密に構成されているとよい。
また、上記スイッチング機構が配置された上記照明光供給ユニットの中間部分の内側に、上記光源ランプを受けるソケットが配置されていてもよく、上記光源ランプの電源となる電池を収容するための電池収容部が、上記照明光供給ユニットのソケットの後方に設けられていてもよい。
【０００８】
【発明の実施の形態】
図面を参照して実施の形態を説明する。
図７は、内視鏡の操作部２部分の側面図、図８は背面図であり、操作部２の下端部には、可撓管によって外装された挿入部１の基端が連結されている。
【０００９】
操作部２の下側約４分の３の部分は握り部２ａであり、その握り部２ａと挿入部１との間に、鉗子挿入口部４が斜め前方に向けて突出して設けられている。３は、気密に構成された内視鏡の内部の圧力を調整するための圧力調整弁である。
【００１０】
操作部２の握り部２ａより上方の操作機構部５には、挿入部１内に挿通された鉗子チャンネル（図示せず）を通して吸引操作を行うための吸引操作弁６と、挿入部１の先端部分に形成された湾曲部（図示せず）を遠隔的に屈曲操作するための湾曲操作レバー７とが前面と後面に配置され、接眼部８が上面に突設されている。
【００１１】
被写体を照明する照明光を伝達するための照明用ライトガイドファイババンドル９は、入射端部が操作機構部５内に配置されていて、挿入部１内と操作部２の握り部２ａ内を通って、射出端部は挿入部１の先端に配置されている。
【００１２】
そして、ライトガイドファイババンドル９に対して照明光を供給するための照明光供給ユニット３０が、操作機構部５の側面部分に着脱自在に取り付けられている。
【００１３】
図８に示されるように、照明光供給ユニット３０には、ライトガイドファイババンドル９に供給するための照明光を放射する光源ランプ３２と、その光源ランプ３２を点灯させるための電源である電池１００等が内蔵されている。電池１００としては、乾電池または充電可能なニッケルカドミウム電池等どのような電池を用いてもよい。
【００１４】
電池１００は、照明光供給ユニット３０の突端部に着脱自在に取り付けられたキャップ部３０ｃを外すことにより交換自在である。４５は、光源ランプ３２の点灯と消灯の切り換え操作を行うためのスイッチ環である。
【００１５】
図９は照明光供給ユニット３０の側面図、図１は側面断面図であり、照明光供給ユニット３０は、全体として真っ直ぐな筒状に形成されていて、光源ランプ３２を内蔵して操作部２との接続部の近くに位置するランプ室部３０ａと、電池１００を収容して中間部分に位置する本体部３０ｂと、突端部に位置するキャップ部３０ｃとに分かれて構成されている。
【００１６】
本体部３０ｂの外壁は、耐蝕性（耐薬品性）のよい例えばステンレス鋼や耐薬表面処理を施した金属又はプラスチック等からなる外側筒体３３によって形成されている。
【００１７】
そして、その内側に、導電性のよい例えば銅又はリン青銅のような銅合金等からなる筒状の内側筒体３４が内接して配置されていて、両者は小ネジ３５で固定されて、そのネジ部が接着剤でシールされている。
【００１８】
キャップ部３０ｃの外壁も、耐蝕性のよい材料からなる外側ケース３７で形成されていて、その内側に導電性のよい材料からなる内側ケース３８が内接して配置されていて、両者が小ネジ３９で固定されている。
【００１９】
そして、キャップ部３０ｃは、内側ケース３８が内側筒体３４に螺合されることによって、本体部３０ｂに対して着脱自在に取り付けられており、外側ケース３７に装着されたＯリング４０によって、接続時の防水シールが行われている。
【００２０】
電池１００は、本体部３０ｂとキャップ部３０ｃとにまたがって内蔵されていて、キャップ部３０ｃの内側ケース３８に取り付けられた接点バネ４２によって、負極側から軸方向に付勢されている。そして、接点バネ４２、内側ケース３８及び内側筒体３４が、電池１００の負極側に電気的につながっている。
【００２１】
したがって、電池１００を交換する必要がある場合には、外側ケース３７を軸回りに回転させて、内側筒体３４と内側ケース３８との螺合を解けば、図３に示されるように、キャップ部３０ｃを本体部３０ｂから取り外して電池１００を新しいものに入れ換え、本体部３０ｂに再びキャップ部３０ｃを取り付ければよい。
【００２２】
図１に示されるように、スイッチ環４５は、照明光供給ユニット３０の中心軸線を中心とする環状に形成されて、本体部３０ｂの外側筒体３３の外周に回転自在に嵌装されていて、照明光供給ユニット３０の中心軸線回りに回転操作される。
【００２３】
また、図４にも示されるように、スイッチ環４５にねじ込み及び接着シールされた一対のピン４６，４７が、外側筒体３３に周方向に形成された長溝４８，４９内を貫通して、さらにその内部まで達している。その結果、スイッチ環４５の回転範囲は、ピン４６，４７が長溝４８，４９内で回動できる範囲に規制される。
【００２４】
第１のピン４６の回動範囲には、内側筒体３４に接触固定された導電板バネ５１が配置されており、光源ランプ３２の一方の電極に導通する導電盤５２とその導電板バネ５１との接触関係が、第１のピン４６の回動によって変化する。
【００２５】
即ち、図５に示されるように、導電板バネ５１の先端は常態では導電盤５２に接触しており、その結果、導電路が通じていて光源ランプ３２が点灯状態になっている。
【００２６】
そして、スイッチ環４５を回転操作して、図５に破線で示されるように第１のピン４６が回動すると、導電板バネ５１が第１のピン４６に押されて導電盤５２から離れ、その結果、導電路が途切れて光源ランプ３２が消灯状態になる。
【００２７】
一方の第２のピン４７の回動範囲には、図６に示されるようなクリック用板バネ５３が内側筒体３４に固定されていて、そのクリック用板バネ５３のバネ力によって、第２のピン４７が回動範囲の両端位置において弾力的に固定される。
【００２８】
したがって、スイッチ環４５を回転操作することにより、スイッチ環４５はその回転範囲の両端部において弾力的にクリック固定されて静止し、一方の端部位置では光源ランプ３２が点灯され、他方の端部では光源ランプ３２が消灯する。
【００２９】
なお、図９に示されるように、外側筒体３３とスイッチ環４５の表面には、スイッチ環４５の回転位置に対する光源ランプ３２の点灯／消灯を示すための指標が印されている。
【００３０】
図１に戻って、導電板バネ５１とクリック用板バネ５３は共に電気絶縁性の固定用盤５４にネジ止めされて固定されている。また、外側筒体３３とスイッチ環４５との嵌合面には、前後に一対のシール用リング５５，５６が装着されていて、長溝４８，４９部分を外部からシールしている。シール用リング５５，５６としては、いずれも断面形状がＸ字状の弾力性のあるリングが用いられているので、スイッチ環４５の回転操作に対して大きな摩擦抵抗は生じない。
【００３１】
ランプ室部３０ａは一つのユニットとして構成されていて、その外壁を構成する筒状のランプ室ケース５９は、強度のある例えばステンレス鋼によって形成されていて、その基部には電気絶縁部材６０が螺着され、その電気絶縁部材６０に前述の導電盤５２が螺着されている。
【００３２】
光源ランプ３２を接続するためのソケット６２は、スイッチ環４５の内側位置に配置されて導電盤５２に固着されており、光源ランプ３２の第１の電極６３が差し込まれる端子は導電盤５２に接触するように固定され、光源ランプ３２の第２の電極６４が差し込まれる端子は、電池１００の陽極側電極に接触する導電板６６に導通固定されている。
【００３３】
このようにして、光源ランプ３２の第２の電極は、ソケット６２の後方に配置された電池１００の陽極側電極に常時導通している。６７は、端子を固定する電気絶縁性の固定板、６８は、電気絶縁性のスペーサである。
【００３４】
ランプ室ケース５９の先端部分には、光源ランプ３２から放射された照明光をライトガイドファイババンドル９の入射端面に向けて収束させるための反射鏡７１が、光源ランプ３２の先端発光部を囲むように接合固定されている。
【００３５】
そして、その反射鏡７１の前端面には、透明なカバーガラス７２が押さえナット７３によって固定されている。カバーガラス７２の外周面にはシール剤が塗布されていて、外部からランプ室ケース５９内に水が侵入しないように封止されている。
【００３６】
ランプ室ケース５９の先端外周面には、操作部２側に設けられたユニット受け口金１０の内周面に形成された雌ネジ（図示せず）と螺合する雄ネジ７４が形成されており、その両ネジを螺合させることにより照明光供給ユニット３０が操作部２に連結された状態になる。
【００３７】
すると、光源ランプ３２から放射された照明光が、反射鏡７１で反射されたあと、カバーガラス７２を通過して、ライトガイドファイババンドル９の入射端面に収束、入射する。
【００３８】
そして、ランプ室ケース５９先端の雄ネジ７４と操作部２側との螺合を解くことにより、照明光供給ユニット３０が操作部２から取り外される。７５は、照明光供給ユニット３０が操作部２に接続された状態のときに、ランプ室ケース５９とユニット受け口金１０との嵌合部をシールするためのＯリングである。
【００３９】
ランプ室ケース５９の外周には、ランプ室部３０ａを本体部３０ｂに接続固定するための固定環７７が回転自在に嵌装されており、固定環７７の後端部外周に形成された雄ネジ７８と外側筒体３３の前端部内周に形成された雌ネジ７９とを螺合させることにより、ランプ室部３０ａと本体部３０ｂとが接続固定される。
【００４０】
その際、ランプ室ケース５９と外側筒体３３との間の回転は、ランプ室ケース５９に突設された回転規制ピン８１が外側筒体３３に形成された溝８２に係合することによって規制されている。
【００４１】
また、回転規制ピン８１によってランプ室ケース５９に固定された固定環８３が、ランプ室ケース５９の外周に嵌装されて固定環７７と外側筒体３３との間に挟み付けられ、ランプ室ケース５９と外側筒体３３との軸方向の固定が行われている。
【００４２】
８５は、ランプ室ケース５９と外側筒体３３との接続部をシールするためのＯリングであり、前述のＯリング４０及びシール用リング５５，５６などと合わせて、照明光供給ユニット３０全体が水密にシールされている。
【００４３】
このように構成された実施の形態装置において、光源ランプ３２が切れた場合には、照明光供給ユニット３０を操作部２から取り外した状態で、ランプ室部３０ａの固定環７７を回転させて、本体部３０ｂの外側筒体３３との螺合を解く。
【００４４】
すると、図２に示されるように、ランプ室部３０ａ全体を本体部３０ｂから前方に抜き出して取り外すことができるので、新しいランプ室部３０ａを逆の手順で本体部３０ｂに取り付ければよい。
【００４５】
なお、固定環７７は外側筒体３３やスイッチ環４５等より外径が細く形成されている。そして、図８に示されるように、照明光供給ユニット３０が操作部２に取り付けられた状態では、固定環７７はユニット受け口金１０の内側に入り込んでしまう。したがって、操作部２に照明光供給ユニット３０を着脱する際に誤って固定環７７を回転させてしまうようなことは生じない。
【００４６】
【発明の効果】
本発明によれば、照明光供給ユニットに内蔵された光源ランプを点灯及び消灯させるためのスイッチング機構を照明光供給ユニットの中間部分に設けたことにより、操作部からの照明光供給ユニットの突出長を短くすることができるので、照明光供給ユニットが操作部に取り付けられた状態の重量バランスが良くなり、操作性が改善される。
【図面の簡単な説明】
【図１】本発明の実施の形態の照明光供給ユニットの側面断面図である。
【図２】本発明の実施の形態の照明光供給ユニットから分離された状態のランプ室部の側面断面図である。
【図３】本発明の実施の形態の照明光供給ユニットから分離された状態のキャップ部の側面断面図である。
【図４】本発明の実施の形態のＩＶ−ＩＶ断面図である。
【図５】本発明の実施の形態の導電板バネの部分側面図である。
【図６】本発明の実施の形態のクリック用板バネの部分側面図である。
【図７】本発明の実施の形態の簡易型内視鏡装置の側面図である。
【図８】本発明の実施の形態の簡易型内視鏡装置の背面図である。
【図９】本発明の実施の形態の照明光供給ユニットの側面図である。
【符号の説明】
２  操作部
９  ライトガイドファイババンドル
３０  照明光供給ユニット
３２  光源ランプ
４５  スイッチ環
【図１】
0003569356.tif 000002
【図２】
0003569356.tif 000003
【図３】
0003569356.tif 000004
【図４】
0003569356.tif 000005
【図５】
0003569356.tif 000006
【図６】
0003569356.tif 000007
【図７】
0003569356.tif 000008
【図８】
0003569356.tif 000009
【図９】
0003569356.tif 000010